(57)【特許請求の範囲】
【請求項１】
冠水に伴う１時間雨量が６２ミリの観測通報における，需要家の負荷機器を接続した分岐回路に分配供給するための電力分電盤において，冠水通報に伴うリミッター電流制限器(１)の定格契約Ａに接続された，一次送りブレーカ(７)負荷側(８)の検知操作手段(１ａ)は，観測通報に伴い，手動操作でリミッター電流制限器(１)に接続された主開閉器(２)のＤＣ開放手段と，リミッター電流制限器(１)の定格契約Ａをリミッター電流制限器３０Ａに切り替わり手段とし，リミッター電流制限器３０Ａに接続された主開閉器(２)の開放に伴う，一次送りブレーカ(７)負荷側(８)の検知操作手段(２ａ)は，接地極Ｅ３‐１に係るスイッチ(Ｓ１)をＤＣでオンに伴う分岐ブレーカ(３)負荷側(４)のＬ側幹線(Ｌ４)に係る，帯電を放電する手段とし，放電に伴う一次送りブレーカ(７)負荷側(８)の検知操作手段(３ａ)は，主開閉器(２)に係る開放手段と放電手段において，接地極Ｅ３‐１に係るスイッチ(Ｓ１)をＤＣでオフに伴う放電の開放手段とし，需要家の負荷機器を接続した分岐回路に分配供給するための電力分電盤において，放電の開放手段に伴う，一次送りブレーカ(７)負荷側(８)に係る電力量計側器(９)であって，一次送りブレーカ(７)負荷側(８)に係る，検知操作手段及び常時供給機器に係る消費使用の電力量は，冠水通報に伴うリミッター電流制限器３０Ａ以内とし，電力量計側器(９)と計側収集保存送信機器(１０)において，負荷側(８)に係る消費使用の電力量とし，継続して計測値を収集と保存する手段を備えた送信配信総合システム。
【請求項２】
冠水に伴う１時間雨量が６２ミリの観測通報における，需要家の負荷機器を接続した分岐回路に分配供給するための電力分電盤において，リミッター電流制限器３０Ａに接続された主開閉器(２)に係る開放手段に伴う，放電の開放手段とし，放電の開放手段に伴う一次送りブレーカ(７)負荷側(８)の検知操作手段(１ｂ)は，分岐ブレーカ(３)負荷側(４)の中性Ｎ側幹線(Ｎ４)に係る，線路の帯電に伴う電流検知(５１)とし，分岐ブレーカ(３)負荷側(４)の線路間には，電源側スイッチ(Ｓ３)と電力量計側器(１１)とし，分岐ブレーカ(３)負荷側(４)の線路(４Ｌ)と(４Ｎ)の間には，操作を目的としたクリップ測定対象体(２０)と，各操作スイッチ(Ｓ１)〜(Ｓ６)に係る開放手段とし，以降の操作は，並列接続状態(２０)及び漏れ接続状態直列(２１)に係る帯電手段に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，リミッター電流制限器３０Ａに接続された主開閉器(２)は，再投入オン手段と，一次送りブレーカ(７)負荷側(８)に係る，検知操作手段及び常時供給機器に係る消費使用の電力量は，冠水通報に伴うリミッター電流制限器３０Ａ以内とし，電力量計側器(９)と計側収集保存送信機器(１０)において，負荷側(８)に係る消費使用の電力量とし，共に継続して計測値を収集と保存する手段を備えた請求項１記載の送信配信総合システム。
【請求項３】
冠水通報における，需要家の負荷機器を接続した分岐回路に分配供給するための電力分電盤であって，リミッター電流制限器３０Ａ以内における待機電流に係る省エネスイッチ手段は，主開閉器(２)に係る再投入オン手段に伴う，開放された各操作スイッチ(Ｓ１)〜(Ｓ６)に係る開放確認手段と，冠水通報に伴うリミッター電流制限器３０Ａ以内での，手動投入操作における確認使用であって，以降の操作は，電力量計側器(１１)の電源側スイッチ(Ｓ３)のオンに伴う待機電流に係る開放確認手段とし，電源側リモコン開閉器(Ｓ４)のオンに伴うゼロクロス開閉器(Ｓ５)はオフと，中性Ｎ側中性極スイッチ(Ｓ６)をオンとし，ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知手段であって，ドリフト電流ｅ７は，電源側に係る線路の帯電手段とし，分岐ブレーカ(３)負荷側(４)線路の端末接地極付コンセント(１９)には，操作を目的とした，プラグ接続測定対象体(２１)の負荷機器(２７)に係る電源側スイッチ(Ｓ８)であって，手動オフに伴う並列接続状態での点灯は，トラッキング状態(Ｒ２)又は不点灯を確認手段とし，中性Ｎ側中性極スイッチ(Ｓ６)をオフと，手動オンに伴う直列接続状態での点灯は，漏れ接続(Ｒ３)及び漏れ接続(Ｒ４)又は不点灯を確認手段とし，中性Ｎ側中性極スイッチ(Ｓ６)をオンと，手動オンに伴う負荷機器(２７)並列接続状態に係る点灯又は不点灯を断線確認手段とし，手動オンに伴う負荷機器(２７)並列接続状態に係る点灯手段は，ゼロクロス開閉器(Ｓ５)の自動オンに伴う負荷機器(２７)における消費使用の電力量とし，電力量計側器(１１)と計側収集保存送信機器(１０)において，分岐ブレーカ(３)負荷側(４)に係る消費使用の電力量とし，共に継続して計測値を収集と保存する手段を備えた請求項１または２記載の送信配信総合システムと待機電流に係る省エネスイッチ方法。
【発明の詳細な説明】
【技術分野】
【０００１】
本発明は，平成２６年７月京都府福知山市における，２４時間雨量が３００ミリを超え，市街地が冠水になり，冠水に伴う１時間雨量が６２ミリの観測通報における，需要家の負荷機器を接続した分岐回路に分配供給するための電力分電盤において，その後の復旧対策として，１時間雨量が６２ミリの観測通知に伴い手動操作スイッチで，主開閉器(２)のＤＣ開放手段と，リミッター電流制限器(１)の定格契約Ａをリミッター電流制限器３０Ａに切り替わり手段と，リミッター電流制限器３０Ａに接続された主開閉器(２)をＤＣ開放手段とし，以降の操作は，スイッチ(Ｓ２)とスイッチ(Ｓ６)をオンとする手段と，操作スイッチで漏れ接続状態直列における帯電に伴う電流検知(５１)で，回路遮断と遮断された分岐ブレーカ(５２)負荷側(５３)における回路開放に係る消灯の検知手段とし，操作スイッチで各スイッチ(Ｓ１)〜(Ｓ６)はオフとする手段と，操作スイッチで各入力側に切り替わり手段とし，操作スイッチでリミッター電流制限器３０Ａに接続された主開閉器(２)を再投入オン手段に関するものである。
【背景技術】
【０００２】
例えば「電気用品安全法における電気用品の技術上の基準を定める省令の取り扱い細則」や「ＩＥＣ６０３３５−１：１９９４の国際標準規格」では，電気用品（測定対象体）に接続される２本の交流電源線（以下，「電源線」ともいう）のうちいずれか一本と電気用品の外装（露出充電部）との間の漏れ電流を測定する主旨が指示されている，この種の漏れ電流を測定可能な漏れ電流測定装置として（特許文献１，特許文献２）や，低圧電気設備の漏電電流状態を測定する装置（特許文献３）及び計測値を収集と保存する手段を備えた総合システムと待機電流に係る省エネスイッチ方法（特許文献４）が知られている。
【先行技術文献】
【特許文献】
【０００３】
【特許文献１】特開平１０−２４６６４５号公報
【特許文献２】特開２００４−１３８５６５号公報
【特許文献３】特開２０１０−９１５８１号公報
【特許文献４】特願２０１４−１１７９９９号
【発明の概要】
【発明が解決しようとする課題】
【０００４】
しかしながら，地震における需要家において，（特許文献４）の従来技術では，地震の検知とリミッター電流制限器に接続の主幹の開放と，放電スイッチの投入及び開放で，幹線の帯電を放電とし，次に，電気用品（測定対象体）を用いた漏れ電流を測定と検知であって，分岐ブレーカの負荷側における回路に係る検知確認と，分岐ブレーカの開放による回路の開放とで構成されている。
【０００５】
しかも，地震保険の契約には，地震で避難する時は，主開閉器又は電気のブレーカをオフにするとなっている。しかし，地震保険に係る主開閉器の遮断と，電力量計側器とスマートゲートウェイ（計側収集保存送信機器）を用いたローカルシステム（送信配信総合システム）とＬＡＮ接続のパソコンで構成した，需要家における主開閉器の開放及び放電とした電気の情報は可能であるが，リミッター電流制限器に接続の一次送りブレーカ負荷側に設置した電力量計側器による各機器の使用消費電流と，それ以降の消費者保護策は，なされていない，前記発明は，これらの問題点を解決するためになされたものである。
しかも，冠水に係る損害保険の契約には，主開閉器又は電気のブレーカをオフにするとなっている。
【０００６】
しかし，冠水に係る損害保険に伴う主開閉器の遮断と，電力量計側器とスマートゲートウェイ（計側収集保存送信機器）を用いたローカルシステム（送信配信総合システム）とＬＡＮ接続のパソコンで構成した，需要家における主開閉器の開放及び放電とした電気の情報は可能であるが，リミッター電流制限器(１)に接続された一次送りブレーカ負荷側に設置した電力量計側器による各機器の使用消費電流と，以降の操作と，消費者保護策は，なされていない。
本発明は，これらの問題点を解決するためになされたものである。
【課題を解決するための手段】
【０００７】
本発明は，１時間雨量が６２ミリの観測に伴い，冠水に伴う１時間雨量が６２ミリの観測通報における，需要家の負荷機器を接続した分岐回路に分配供給するための電力分電盤において，その後の復旧対策として，手動操作スイッチで，主開閉器(２)の開放手段と，リミッター電流制限器(１)の定格契約Ａをリミッター電流制限器３０Ａに切り替わり手段とし，以降の操作は，スイッチ(Ｓ２)とスイッチ(Ｓ６)をオンとする手段と，漏れ接続状態直列における帯電に伴う電流検知(５１)で，回路遮断と遮断された分岐ブレーカ(５２)負荷側(５３)における回路開放に係る消灯の検知手段と，各操作スイッチ(Ｓ１)〜(Ｓ６)はオフとする手段とし，操作で各入力側に切り替わり手段と，リミッター電流制限器３０Ａに接続された主開閉器(２)を再投入オン手段に関するものである。
【０００８】
１．冠水に伴う１時間雨量が６２ミリの観測通報における，需要家の負荷機器を接続した分岐回路に分配供給するための電力分電盤において，冠水通報に伴うリミッター電流制限器(１)の定格契約Ａに接続された，一次送りブレーカ(７)負荷側(８)の検知操作手段(１ａ)は，１時間雨量が６２ミリの観測通報に伴い，手動操作スイッチで，主開閉器(２)の開放手段と，リミッター電流制限器(１)の定格契約Ａをリミッター電流制限器３０Ａに切り替わり手段とし，
２．リミッター電流制限器３０Ａに接続された主開閉器(２)の開放手段に伴う，一次送りブレーカ(７)負荷側(８)の検知操作手段(２ａ)は，接地極Ｅ３‐１に係るスイッチ(Ｓ１)をＤＣでオンと，分岐ブレーカ(３)負荷側(４)のＬ側幹線(Ｌ４)に係る，帯電を放電する手段とし，
３．放電に伴う一次送りブレーカ(７)負荷側(８)の検知操作手段(３ａ)は，リミッター電流制限器３０Ａに接続された主開閉器(２)に係る開放手段の検知と放電手段において，接地極Ｅ３‐１に係るスイッチ(Ｓ１)をＤＣでオフと，放電の開放手段とし，
４．需要家の負荷機器を接続した分岐回路に分配供給するための電力分電盤においては，放電の開放手段に伴う，一次送りブレーカ(７)負荷側(８)に係る電力量計側器(９)であって，一次送りブレーカ(７)負荷側(８)に係る，検知操作手段及び常時供給機器に係る消費使用の電力量は，冠水通報に伴うリミッター電流制限器３０Ａ以内とし，電力量計側器(９)と計側収集保存送信機器(１０)において，消費使用の電力量とし，継続して計測値を収集と保存する手段を備えた送信配信総合システム。
【０００９】
５．放電の開放手段に伴う，一次送りブレーカ(７)負荷側(８)の検知操作手段(１ｂ)は，分岐ブレーカ(３)負荷側(４)の中性Ｎ側幹線(Ｎ４)に係る，線路の帯電に伴う電流検知(５１)と，分岐ブレーカ(３)負荷側(４)の線路間には，電源側スイッチ(Ｓ３)と電力量計側器(１１)とし，分岐ブレーカ(３)負荷側(４)の線路(４Ｌ)と(４Ｎ)の間には，操作を目的とした，クリップ測定対象体(２０)とし，以降の操作は，電源側リモコン開閉器(Ｓ４)はオフと，ゼロクロス開閉器(Ｓ５)もオフと，電力量計側器(１１)の電源側スイッチ(Ｓ３)はオフと，中性Ｎ側中性極スイッチ(Ｓ６)もオフと，接地極Ｅ３‐１に係るスイッチ(Ｓ１)はオフと，一次送りブレーカ(７)負荷側(８)に係るスイッチ(Ｓ２)もオフとし，各操作スイッチ(Ｓ１)〜(Ｓ６)に係る開放手段となる。
【００１０】
６．各操作スイッチ(Ｓ１)〜(Ｓ６)に係る開放手段に伴う，一次送りブレーカ(７)負荷側(８)の検知操作手段(２ｂ)は，接地極Ｅ３‐１に係るスイッチ(Ｓ１)をオンと，一次送りブレーカ(７)負荷側(８)に係るスイッチ(Ｓ２)をオンとし，スイッチ(Ｓ２)に係るネオンランプｅ１は，交流１００ｖでは７０ｖで陰極グローと負極が発光により，電圧３５ｖのドリフト電流ｅ４でＬＥＤｅ２が点灯を，フォトカプラーｅ３における点灯の検知手段であって，ドリフト電流ｅ４は，中性Ｎ側幹線(Ｎ４)に係る線路の帯電手段とし，分岐ブレーカ(３)負荷側(４)の線路(４Ｌ)と(４Ｎ)の間には，操作を目的とした，クリップ測定対象体(２０)に係る並列接続状態と，線路(４Ｌ)と(４Ｎ)に係る帯電手段となる。
【００１１】
７．点灯の検知手段と線路の帯電手段に伴う，一次送りブレーカ(７)負荷側(８)の検知操作手段(３ｂ)は，線路の帯電に伴う点灯の検知手段と，分岐ブレーカ(３)負荷側(４)の中性Ｎ側幹線(Ｎ４)に係る，線路の帯電に伴う電流検知(５１)と，帯電検知に伴う分岐回路遮断手段とし，回路遮断された分岐ブレーカ(５２)の負荷側(５３)に係る回路開放に伴う消灯の検知手段となる。 
【００１２】
８．負荷側(５３)に係る回路開放に伴う消灯の検知手段において，一次送りブレーカ(７)負荷側(８)の検知操作手段(４ｂ)は，中性Ｎ側中性極スイッチ(Ｓ６)はオフと，接地極Ｅ３‐１に係るスイッチ(Ｓ１)はオフと，一次送りブレーカ(７)負荷側(８)に係るスイッチ(Ｓ２)もオフとで，各操作スイッチ(Ｓ１)〜(Ｓ６)に係る開放手段となる。
【００１３】
９．よって，分岐ブレーカ(３)負荷側(４)の線路(４Ｌ)と(４Ｎ)の間には，操作を目的とした，クリップ測定対象体(２０)に係る並列接続状態であって，分岐ブレーカ(３)負荷側(４)の中性Ｎ側幹線(Ｎ４)に係る線路の帯電に伴う電流検知(５１)と，帯電検知に伴う分岐回路遮断と，回路遮断された分岐ブレーカ(５２)の負荷側(５３)に係る回路開放に伴う消灯の検知手段とし，各操作スイッチ(Ｓ１)〜(Ｓ６)に係る開放手段とし，以降の操作は，クリップ測定対象体(２０)の取り外し手段とし，分岐ブレーカ(３)負荷側(４)の線路(４Ｌ)と(４Ｎ)の間において，並列接続状態に係る線路の帯電に伴う電流検知(５１)であって，分岐ブレーカ(３)の回路遮断と遮断回路(５２)に係る消灯の検知手段と，各操作スイッチ(Ｓ１)〜(Ｓ６)に係る開放における確認構成手段は，経年劣化に伴う非破壊確認手段となる。
【００１４】
１０．クリップ測定対象体(２０)の取り外し手段に伴う一次送りブレーカ(７)負荷側(８)の検知操作手段(５ｂ)は，分岐ブレーカ(３)負荷側(４)の中性Ｎ側幹線(Ｎ４)に係る線路の帯電に伴う電流検知(５１)と，分岐ブレーカ(３)負荷側(４)の線路間には，電源側スイッチ(Ｓ３)と電力量計側器(１１)とし，分岐ブレーカ(３)負荷側(４)線路の端末接地極付コンセント(１９)には，操作を目的としたプラグ接続測定対象体(２１)であって，測定対象体(２１)の機器内負荷側線路(Ｌ側)及び線路(Ｎ側)と電気用品の外装(２６)間における漏れ接続(Ｒ３)及び漏れ接続(Ｒ４)において，直列接続状態に係る線路帯電手段とし，以降の操作は，電源側リモコン開閉器(Ｓ４)はオフとゼロクロス開閉器(Ｓ５)もオフと，中性Ｎ側中性極スイッチ(Ｓ６)をオンと，一次送りブレーカ(７)負荷側(８)に係るスイッチ(Ｓ２)をオンとし，スイッチ(Ｓ２)に係るネオンランプｅ１は，交流１００ｖでは７０ｖで陰極グローと負極が発光により電圧３５ｖのドリフト電流ｅ４でＬＥＤｅ２が点灯をフォトカプラーｅ３における点灯の検知手段であって，ドリフト電流ｅ４は中性Ｎ側幹線(４Ｎ)に係る線路の帯電手段とし，分岐ブレーカ(３)負荷側(４)線路の端末接地極付コンセント(１９)には，操作を目的とした，プラグ接続測定対象体(２１)における直列接続状態とし，直列接続状態に係る線路の帯電手段となる。
【００１５】
１１．点灯の検知手段と線路の帯電手段に伴う一次送りブレーカ(７)負荷側(８)の検知操作手段(６ｂ)は，線路の帯電に伴う点灯の検知と，分岐ブレーカ(３)負荷側(４)の中性Ｎ側幹線(４Ｎ)に係る線路の帯電に伴う電流検知(５１)と，帯電検知に伴う分岐回路遮断とし，回路遮断された分岐ブレーカ(５２)の負荷側(５３)に係る回路開放に伴う消灯の検知手段となる。 
【００１６】
１２．負荷側(５３)に係る回路開放に伴う消灯の検知手段であって，一次送りブレーカ(７)負荷側(８)の検知操作手段(７ｂ)は，中性Ｎ側中性極スイッチ(Ｓ６)はオフと，一次送りブレーカ(７)負荷側(８)に係るスイッチ(Ｓ２)もオフと，各操作スイッチ(Ｓ１)〜(Ｓ６)に係る開放手段となる。
【００１７】
１３．よって，プラグ接続測定対象体(２１)を用いた手段は，分岐ブレーカ(３)負荷側(４)の中性Ｎ側幹線(Ｎ４)に係る線路の帯電に伴う点灯の検知手段と，分岐ブレーカ(３)負荷側(４)の中性Ｎ側幹線(Ｎ４)に係る線路の帯電に伴う電流検知(５１)と，帯電検知に伴う分岐回路遮断と，回路遮断された分岐ブレーカ(５２)の負荷側(５３)に係る回路開放に伴う消灯の検知手段とし，以降の操作は，回路遮断された分岐ブレーカ(５２)に係る入力側を(Ｘ)とし，開放された各操作スイッチ(Ｓ１)〜(Ｓ６)に係る入力側を(Ｙ)とする手段となる。
【００１８】
１４．各操作スイッチ(Ｓ１)〜(Ｓ６)に係る開放手段と，回路遮断分岐ブレーカ(５２)の開放手段に伴う，一次送りブレーカ(７)負荷側(８)の検知操作手段(４ａ)は，回路遮断された分岐ブレーカ(５２)に係る入力側を(Ｘ)と，開放された各操作スイッチ(Ｓ１)〜(Ｓ６)に係る入力側を(Ｙ)とする手段とし，主開閉器(２)に係る再投入オン手段となる。
【００１９】
１５．冠水通報に伴う需要家の負荷機器を接続した分岐回路に分配供給するための電力分電盤において，その後の復旧対策として，１時間雨量が６２ミリの観測通報に伴い，手動操作でリミッター電流制限器(１)に接続された主開閉器(２)をＤＣ開放手段と，リミッター電流制限器(１)の定格契約Ａをリミッター電流制限器３０Ａに切り替わり手段とし，冠水通報に伴う検知とリミッター電流制限器３０Ａに接続された主開閉器(２)に係る再投入オン手段に伴う，回路開放された分岐ブレーカ(５２)に係る入力側(Ｘ)と，開放された各操作スイッチ(Ｓ１)〜(Ｓ６)に係る入力側(Ｙ)に伴う切り替わり手段となる。 
【００２０】
Ａ．主開閉器(２)に係る再投入オン手段に伴う，回路開放された分岐ブレーカ(５２)に係る入力側(Ｘ)に伴う切り替わり手段であって，供給入力に伴う操作手段は，
イ．回路開放された分岐ブレーカ(５２)おいては，分電盤内機器となるので回路開放確認とし，分岐ブレーカ(３)負荷側(４)の線路(４Ｌ)と(４Ｎ)の間には，操作を目的としたクリップ測定対象体(２０)に係る並列接続状態においての修復依頼となる手段になる。
ロ．回路開放された分岐ブレーカ(５２)おいては，分電盤内機器となるので回路開放確認とし，分岐ブレーカ(３)負荷側(４)線路の端末接地極付コンセント(１９)には，操作を目的とした，プラグ接続測定対象体(２１)に係る直列接続状態とし，測定対象体(２１)の機器内負荷側線路(Ｌ側)及び線路(Ｎ側)と電気用品の外装(２６)間における漏れ接続(Ｒ３)及び漏れ接続(Ｒ４)は，直列接続状態においての修復依頼となる手段になる。
【００２１】
Ｂ．主開閉器(２)に係る再投入オン手段に伴う，開放された各操作スイッチ(Ｓ１)〜(Ｓ６)に係る入力側(Ｙ)に伴う切り替わり手段であって，供給入力に伴う操作手段は，開放された各操作スイッチ(Ｓ１)〜(Ｓ６)に係る開放確認手段と，冠水通報に伴う検知と，リミッター電流制限器３０Ａに係る切り替わり手段に伴う，供給入力接続とし，手動投入操作における確認使用となる。
【００２２】
Ｃ．以降の操作は，電力量計側器(１１)の電源側スイッチ(Ｓ３)をオンとし，分岐ブレーカ(３)負荷側(４)線路の端末接地極付コンセント(１９)には，操作を目的としたプラグ接続測定対象体(２１)に係る負荷機器(２７)の電源側スイッチ(Ｓ８)は，手動オフに伴う開放を確認とし，電源側リモコン開閉器(Ｓ４)をオンとゼロクロス開閉器(Ｓ５)はオフと，中性Ｎ側中性極スイッチ(Ｓ６)をオンとし，ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知手段であって，ドリフト電流ｅ７は，電源側線(４Ｌ)に係る線路の帯電手段とし，分岐ブレーカ(３)負荷側(４)線路の端末接地極付コンセント(１９)には，操作を目的としたプラグ接続測定対象体(２１)に係る負荷機器(２７)の電源側スイッチ(Ｓ８)は手動オフに伴う並列接続状態(トラッキング状態Ｒ２)に係る，並列接続状態においての修復依頼とし，点灯は確認使用になる手段であって，点灯確認後においては，電源側リモコン開閉器(Ｓ４)はオフとゼロクロス開閉器(Ｓ５)はオフと，中性Ｎ側中性極スイッチ(Ｓ６)はオフとする。
【００２３】
Ｄ．以降の操作は，電力量計側器(１１)の電源側スイッチ(Ｓ３)をオンとし，分岐ブレーカ(３)負荷側(４)線路の端末接地極付コンセント(１９)には，操作を目的としたプラグ接続測定対象体(２１)に係る負荷機器(２７)の電源側スイッチ(Ｓ８)は，手動オンに伴う確認とし，電源側リモコン開閉器(Ｓ４)をオンとゼロクロス開閉器(Ｓ５)はオフと，中性Ｎ側中性極スイッチ(Ｓ６)はオフとし，ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知手段であって，ドリフト電流ｅ７は，電源側線(４Ｌ)に係る線路の帯電手段とし，分岐ブレーカ(３)負荷側(４)線路の端末接地極付コンセント(１９)には，操作を目的とした，プラグ接続測定対象体(２１)に係る負荷機器(２７)の電源側スイッチ(Ｓ８)は手動オンに伴う機器内負荷側線路(Ｌ側)及び線路(Ｎ側)と電気用品の外装(２６)間における漏れ接続(Ｒ３)及び漏れ接続(Ｒ４)に係る，直列接続状態においての修復依頼とし，点灯は確認使用になる手段であって，点灯確認後においては，電源側リモコン開閉器(Ｓ４)はオフとゼロクロス開閉器(Ｓ５)はオフと，中性Ｎ側中性極スイッチ(Ｓ６)はオフとする。
【００２４】
冠水通報に伴う需要家の負荷機器を接続した分岐回路に分配供給するための電力分電盤において，リミッター電流制限器３０Ａ以内における待機電流に係る省エネスイッチ手段は，主開閉器(２)に係る再投入オン手段に伴う，開放された各操作スイッチ(Ｓ１)〜(Ｓ６)に係る開放確認手段と，冠水通報に伴うリミッター電流制限器３０Ａ以内での，手動投入操作における確認使用であって，以降の操作は，電力量計側器(１１)の電源側スイッチ(Ｓ３)のオンに伴う待機電流に係る開放確認手段とし，電源側リモコン開閉器(Ｓ４)のオンに伴うゼロクロス開閉器(Ｓ５)はオフと，中性Ｎ側中性極スイッチ(Ｓ６)をオンとし，ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知手段であって，ドリフト電流ｅ７は，電源側に係る線路の帯電手段とし，分岐ブレーカ(３)負荷側(４)線路の端末接地極付コンセント(１９)には，操作を目的とした，プラグ接続測定対象体(２１)の負荷機器(２７)に係る電源側スイッチ(Ｓ８)であって，手動オフに伴う並列接続状態での点灯は，トラッキング状態(Ｒ２)又は不点灯を確認手段とし，中性Ｎ側中性極スイッチ(Ｓ６)をオフとし，手動オンに伴う直列接続状態での点灯は，漏れ接続(Ｒ３)及び漏れ接続(Ｒ４)又は不点灯を確認手段と，中性Ｎ側中性極スイッチ(Ｓ６)をオンと，手動オンに伴う負荷機器(２７)並列接続状態に係る点灯又は不点灯を断線確認手段とし，手動オンに伴う負荷機器(２７)並列接続状態に係る点灯手段は，ゼロクロス開閉器(Ｓ５)の自動オンに伴う負荷機器(２７)における消費使用の電力量とし，電力量計側器(１１)と計側収集保存送信機器(１０)において，分岐ブレーカ(３)負荷側(４)に係る消費使用の電力量とし，共に継続して計測値を収集と保存する手段を備えた送信配信総合システムと待機電流に係る省エネスイッチ方法。
【００２５】
冠水に伴う１時間雨量が６２ミリの観測通報における，需要家の負荷機器を接続した分岐回路に分配供給するための電力分電盤において，冠水通報に伴うリミッター電流制限器(１)の定格契約Ａに接続された，一次送りブレーカ(７)負荷側(８)の検知操作手段(１ａ)は，観測通報に伴い，手動操作でリミッター電流制限器(１)に接続された主開閉器(２)のＤＣ開放手段と，リミッター電流制限器(１)の定格契約Ａをリミッター電流制限器３０Ａに切り替わり手段とし，リミッター電流制限器３０Ａに接続された主開閉器(２)の開放に伴う，一次送りブレーカ(７)負荷側(８)の検知操作手段(２ａ)は，接地極Ｅ３‐１に係るスイッチ(Ｓ１)をＤＣでオンに伴う分岐ブレーカ(３)負荷側(４)のＬ側幹線に係る，帯電を放電する手段とし，放電に伴う一次送りブレーカ(７)負荷側(８)の検知操作手段(３ａ)は，主開閉器(２)に係る開放手段と放電手段において，接地極Ｅ３‐１に係るスイッチ(Ｓ１)をＤＣでオフに伴う放電の開放手段とし，需要家の負荷機器を接続した分岐回路に分配供給するための電力分電盤においては，放電の開放手段に伴う，一次送りブレーカ(７)負荷側(８)に係る電力量計側器(９)であって，一次送りブレーカ(７)負荷側(８)に係る，検知操作手段及び常時供給機器に係る消費使用の電力量は，冠水通報に伴うリミッター電流制限器３０Ａ以内とし，電力量計側器(９)と計側収集保存送信機器(１０)において，負荷側(８)に係る消費使用の電力量とし，継続して計測値を収集と保存する手段を備えた送信配信総合システム。
【００２６】
冠水に伴う１時間雨量が６２ミリの観測通報における，需要家の負荷機器を接続した分岐回路に分配供給するための電力分電盤において，リミッター電流制限器３０Ａに接続された主開閉器(２)に係る開放手段に伴う，放電の開放手段とし，放電の開放手段に伴う一次送りブレーカ(７)負荷側(８)の検知操作手段(１ｂ)は，分岐ブレーカ(３)負荷側(４)の中性Ｎ側幹線(Ｎ４)に係る，線路の帯電に伴う電流検知(５１)とし，分岐ブレーカ(３)負荷側(４)の線路間には，電源側スイッチ(Ｓ３)と電力量計側器(１１)とし，分岐ブレーカ(３)負荷側(４)の線路(４Ｌ)と(４Ｎ)の間には，操作を目的とした，クリップ測定対象体(２０)と，各操作スイッチ(Ｓ１)〜(Ｓ６)に係る開放手段とし，以降の操作は，並列接続状態(２０)及び漏れ接続状態直列(２１)に係る帯電手段に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，リミッター電流制限器３０Ａに接続された主開閉器(２)は，再投入オン手段と，一次送りブレーカ(７)負荷側(８)に係る，検知操作手段及び常時供給機器に係る消費使用の電力量は，冠水通報に伴うリミッター電流制限器３０Ａ以内とし，電力量計側器(９)と計側収集保存送信機器(１０)において，負荷側(８)に係る消費使用の電力量とし，共に継続して計測値を収集と保存する手段を備えた送信配信総合システム。
【発明の効果】
【００２７】
１．消費使用の電力量として，共に継続して計測値を収集と保存する手段を備えた送信配信総合システムは，消費使用の電力量を，冠水に伴う１時間雨量が６２ミリの観測通報における，需要家の負荷機器を接続した分岐回路に分配供給するための電力分電盤において，在宅消費使用の電力量情報手段とし，
２．需要家による以降の操作は，消費者保護情報と，インターネットとＬＡＮ接続パソコンを用いて，冠水通報に伴う需要家において，在宅消費使用の電力量情報手段と，電気設備のバリヤフリー対策とし，
３．在宅冠水通報に伴う需要家においては，在宅消費使用の電力量情報をもとに，救援者が駆け付ける手段と，インターネットとＬＡＮ接続パソコンを用いて，冠水通報に伴う需要家において、在宅消費使用の電力量情報が得られる手段になる効果がある。
４．なお，冠水通報に伴う需要家において，電気設備のバリヤフリー対策には，測定対象体の漏れ状態直列(２１)及び測定対象体のトラッキング状態並列(２０)と，測定装置等を用いて定期的に測定する手段になる効果がある。
【図面の簡単な説明】
【００２８】
【図１】リミッター電流制限器３０Ａと消費使用の電力量を共に継続して  計測値を収集と保存する手段を備えた送信配信総合システム構成図
【図２】リミッター電流制限器３０Ａと消費使用の電力量を共に継続して  計測値を収集と保存する手段を備えた送信配信総合システムブロック図
【発明を実施するための形態】
【００２９】
図1に記載の送信配信総合システム構成図を用いて，本発明の１時間雨量が６２ミリの観測通報に伴う，実施の形態に伴う操作手段と作用の説明をする。
１．冠水に伴う１時間雨量が６２ミリの観測通報における需要家の負荷機器を接続した分岐回路に分配供給するための電力分電盤において，冠水通報に伴うリミッター電流制限器(１)の定格契約Ａに接続された，一次送りブレーカ(７)負荷側(８)の検知操作手段(１ａ)は，１時間雨量が６２ミリの観測通報に伴い，手動操作スイッチで，主開閉器(２)のＤＣ開放手段と，リミッター電流制限器(１)の定格契約Ａをリミッター電流制限器３０Ａに切り替わり手段とし，
２．リミッター電流制限器３０Ａに接続された主開閉器(２)の開放手段に伴う，一次送りブレーカ(７)負荷側(８)の検知操作手段(２ａ)は，接地極Ｅ３‐１に係るスイッチ(Ｓ１)をＤＣでオンと，分岐ブレーカ(３)負荷側(４)のＬ側幹線(Ｌ４)に係る，帯電を放電する手段とし，
３．放電に伴う一次送りブレーカ(７)負荷側(８)の検知操作手段(３ａ)は，リミッター電流制限器３０Ａに接続された主開閉器(２)に係る開放手段の検知と放電手段において，接地極Ｅ３‐１に係るスイッチ(Ｓ１)をＤＣでオフと，放電の開放手段とし，
４．需要家側には，放電の開放手段に伴う，一次送りブレーカ(７)負荷側(８)に係る電力量計側器(９)であって，一次送りブレーカ(７)負荷側(８)に係る，検知操作手段及び常時供給機器に係る消費使用の電力量は，冠水通報に伴うリミッター電流制限器３０Ａ以内とし，電力量計側器(９)と計側収集保存送信機器(１０)において，消費使用の電力量とし，継続して計測値を収集と保存する手段を備えた送信配信総合システム。
【００３０】
５．放電の開放手段に伴う，一次送りブレーカ(７)負荷側(８)の検知操作手段(１ｂ)は，分岐ブレーカ(３)負荷側(４)の中性Ｎ側幹線(Ｎ４)に係る，線路の帯電に伴う電流検知(５１)とし，分岐ブレーカ(３)負荷側(４)の線路間には，電源側スイッチ(Ｓ３)と電力量計側器(１１)と，分岐ブレーカ(３)負荷側(４)の線路(４Ｌ)と(４Ｎ)の間には，操作を目的とした，クリップ測定対象体(２０)とし，以降の操作は，電源側リモコン開閉器(Ｓ４)はオフと，ゼロクロス開閉器(Ｓ５)もオフと，電力量計側器(１１)の電源側スイッチ(Ｓ３)はオフと，中性Ｎ側中性極スイッチ(Ｓ６)もオフと，接地極Ｅ３‐１に係るスイッチ(Ｓ１)はオフと，一次送りブレーカ(７)負荷側(８)に係るスイッチ(Ｓ２)もオフとし，各操作スイッチ(Ｓ１)〜(Ｓ６)に係る開放手段となる。
【００３１】
６．各操作スイッチ(Ｓ１)〜(Ｓ６)の開放手段に伴う，一次送りブレーカ(７)負荷側(８)の検知操作手段(２ｂ)は，接地極Ｅ３‐１に係るスイッチ(Ｓ１)をオンと，一次送りブレーカ(７)負荷側(８)に係るスイッチ(Ｓ２)をオンとし，スイッチ(Ｓ２)に係るネオンランプｅ１は，交流１００ｖでは７０ｖで陰極グローと負極が発光により，電圧３５ｖのドリフト電流ｅ４でＬＥＤｅ２が点灯を，フォトカプラーｅ３における点灯の検知手段であって，ドリフト電流ｅ４は，中性Ｎ側幹線(Ｎ４)に係る線路の帯電手段とし，分岐ブレーカ(３)負荷側(４)の線路(４Ｌ)と(４Ｎ)の間には，操作を目的としたクリップ測定対象体(２０)に係る並列接続状態と，線路(４Ｌ)と(４Ｎ)に係る帯電手段となる。
【００３２】
７．点灯の検知と線路の帯電手段に伴う，一次送りブレーカ(７)負荷側(８)の検知操作手段(３ｂ)は，線路の帯電に伴う点灯の検知と，分岐ブレーカ(３)負荷側(４)の中性Ｎ側幹線(Ｎ４)に係る，線路の帯電に伴う電流検知(５１)と，帯電検知に伴う分岐回路遮断とし，回路遮断された分岐ブレーカ(５２)の負荷側(５３)に係る回路開放に伴う消灯の検知手段となる。
【００３３】
８．負荷側(５３)に係る回路開放に伴う消灯の検知手段において，一次送りブレーカ(７)負荷側(８)の検知操作手段(４ｂ)は，中性Ｎ側中性極スイッチ(Ｓ６)はオフと，接地極Ｅ３‐１に係るスイッチ(Ｓ１)はオフと，一次送りブレーカ(７)負荷側(８)に係るスイッチ(Ｓ２)もオフとで，各操作スイッチ(Ｓ１)〜(Ｓ６)に係る開放手段となる。
【００３４】
９．よって，分岐ブレーカ(３)負荷側(４)の線路(４Ｌ)と(４Ｎ)の間には，操作を目的としたクリップ測定対象体(２０)に係る並列接続状態であって，分岐ブレーカ(３)負荷側(４)の中性Ｎ側幹線(Ｎ４)に係る線路の帯電に伴う電流検知(５１)と，帯電検知に伴う分岐回路遮断とし，回路遮断された分岐ブレーカ(５２)の負荷側(５３)に係る回路開放に伴う消灯の検知手段とし，各操作スイッチ(Ｓ１)〜(Ｓ６)に係る開放手段とし，以降の操作は，クリップ測定対象体(２０)の取り外し手段とし，分岐ブレーカ(３)負荷側(４)の線路(４Ｌ)と(４Ｎ)の間において，並列接続状態に係る線路の帯電に伴う電流検知(５１)であって，分岐ブレーカ(３)の回路遮断と遮断回路(５２)に係る消灯の検知と，各操作スイッチ(Ｓ１)〜(Ｓ６)に係る開放における確認構成手段は，経年劣化に伴う非破壊確認手段となる。
【００３５】
１０．クリップ測定対象体(２０)の取り外し手段に伴う一次送りブレーカ(７)負荷側(８)の検知操作手段(５ｂ)は，分岐ブレーカ(３)負荷側(４)の中性Ｎ側幹線(Ｎ４)に係る線路の帯電に伴う電流検知(５１)とし，分岐ブレーカ(３)負荷側(４)の線路間には，電源側スイッチ(Ｓ３)と電力量計側器(１１)と，分岐ブレーカ(３)負荷側(４)線路の端末接地極付コンセント(１９)には，操作を目的とした，プラグ接続測定対象体(２１)であって，測定対象体(２１)の機器内負荷側線路(Ｌ側)及び線路(Ｎ側)と電気用品の外装(２６)間における漏れ接続(Ｒ３)及び漏れ接続(Ｒ４)において，直列接続状態に係る線路帯電手段とし，以降の操作は，電源側リモコン開閉器(Ｓ４)はオフとゼロクロス開閉器(Ｓ５)もオフと，中性Ｎ側中性極スイッチ(Ｓ６)をオンと，一次送りブレーカ(７)負荷側(８)に係るスイッチ(Ｓ２)をオンとし，スイッチ(Ｓ２)に係るネオンランプｅ１は，交流１００ｖでは７０ｖで陰極グローと負極が発光により電圧３５ｖのドリフト電流ｅ４でＬＥＤｅ２が点灯をフォトカプラーｅ３における点灯の検知手段であって，ドリフト電流ｅ４は中性Ｎ側幹線(４Ｎ)に係る線路の帯電手段とし，分岐ブレーカ(３)負荷側(４)線路の端末接地極付コンセント(１９)には，操作を目的とした，プラグ接続測定対象体(２１)における直列接続状態とし，直列接続状態に係る線路の帯電手段となる。
【００３６】
１１．点灯の検知と線路の帯電手段に伴う一次送りブレーカ(７)負荷側(８)の検知操作手段(６ｂ)は，線路の帯電に伴う点灯の検知と，分岐ブレーカ(３)負荷側(４)の中性Ｎ側幹線(４Ｎ)に係る線路の帯電に伴う電流検知(５１)と，帯電検知に伴う分岐回路遮断とし，回路遮断された分岐ブレーカ(５２)の負荷側(５３)に係る回路開放に伴う消灯の検知手段となる。
【００３７】
１２．負荷側(５３)に係る回路開放に伴う消灯の検知手段であって，一次送りブレーカ(７)負荷側(８)の検知操作手段(７ｂ)は，中性Ｎ側中性極スイッチ(Ｓ６)はオフと，一次送りブレーカ(７)負荷側(８)に係るスイッチ(Ｓ２)もオフと，各操作スイッチ(Ｓ１)〜(Ｓ６)に係る開放手段となる。
【００３８】
１３．よって，プラグ接続測定対象体(２１)を用いた手段は，分岐ブレーカ(３)負荷側(４)の中性Ｎ側幹線(Ｎ４)に係る線路の帯電に伴う点灯の検知と，分岐ブレーカ(３)負荷側(４)の中性Ｎ側幹線(Ｎ４)に係る線路の帯電に伴う電流検知(５１)と，帯電検知に伴う分岐回路遮断とし，回路遮断された分岐ブレーカ(５２)の負荷側(５３)に係る回路開放に伴う消灯の検知手段とし，以降の操作は，回路遮断された分岐ブレーカ(５２)に係る入力側を(Ｘ)と，開放された各操作スイッチ(Ｓ１)〜(Ｓ６)に係る入力側を(Ｙ)とする手段となる。
【００３９】
１４．各操作スイッチ(Ｓ１)〜(Ｓ６)に係る開放手段と，回路遮断分岐ブレーカ(５２)に係る開放手段に伴う，一次送りブレーカ(７)負荷側(８)の検知操作手段(４ａ)は，回路遮断された分岐ブレーカ(５２)に係る入力側を(Ｘ)と，開放された各操作スイッチ(Ｓ１)〜(Ｓ６)に係る入力側を(Ｙ)とする手段と，主開閉器(２)に係る再投入オン手段となる。
【００４０】
１５．冠水通報に伴う需要家の負荷機器を接続した分岐回路に分配供給するための電力分電盤において，その後の復旧対策として，１時間雨量が６２ミリの観測通報に伴い，手動操作でリミッター電流制限器(１)に接続された主開閉器(２)をＤＣ開放手段と，リミッター電流制限器(１)の定格契約Ａをリミッター電流制限器３０Ａに切り替わり手段とし，冠水通報に伴う検知とリミッター電流制限器３０Ａに接続された主開閉器(２)に係る再投入オン手段に伴う，回路開放された分岐ブレーカ(５２)に係る入力側(Ｘ)と，開放された各操作スイッチ(Ｓ１)〜(Ｓ６)に係る入力側(Ｙ)に伴う切り替わり手段となる。
【００４１】
Ａ．主開閉器(２)に係る再投入オン手段に伴う，回路開放された分岐ブレーカ(５２)に係る入力側(Ｘ)に伴う切り替わり手段であって，供給入力に伴う操作手段は，
イ．回路開放された分岐ブレーカ(５２)おいては，分電盤内機器となるので回路開放確認と，分岐ブレーカ(３)負荷側(４)の線路(４Ｌ)と(４Ｎ)の間には，操作を目的としたクリップ測定対象体(２０)に係る並列接続状態においての修復依頼となる手段になる。
ロ．回路開放された分岐ブレーカ(５２)おいては，分電盤内機器となるので開放確認と，分岐ブレーカ(３)負荷側(４)線路の端末接地極付コンセント(１９)には，操作を目的とした，プラグ接続測定対象体(２１)に係る直列接続状態とし，測定対象体(２１)の機器内負荷側線路(Ｌ側)及び線路(Ｎ側)と電気用品の外装(２６)間における漏れ接続(Ｒ３)及び漏れ接続(Ｒ４)は，直列接続状態においての修復依頼となる手段になる。
【００４２】
Ｂ．主開閉器(２)に係る再投入オン手段に伴う，開放された各操作スイッチ(Ｓ１)〜(Ｓ６)に係る入力側(Ｙ)に伴う切り替わり手段において，供給入力に伴う操作手段は，開放された各操作スイッチ(Ｓ１)〜(Ｓ６)に係る開放確認手段と，冠水通報に伴う検知と，リミッター電流制限器３０Ａに切り替わり手段に伴う，供給入力接続であって，手動投入操作における確認使用となる。
【００４３】
Ｃ．以降の操作は，電力量計側器(１１)の電源側スイッチ(Ｓ３)をオンと，分岐ブレーカ(３)負荷側(４)線路の端末接地極付コンセント(１９)には，操作を目的とした，プラグ接続測定対象体(２１)に係る負荷機器(２７)の電源側スイッチ(Ｓ８)は，手動オフに伴う開放を確認とし，電源側リモコン開閉器(Ｓ４)をオンとゼロクロス開閉器(Ｓ５)はオフと，中性Ｎ側中性極スイッチ(Ｓ６)をオンとし，ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知手段であって，ドリフト電流ｅ７は，電源側線(４Ｌ)に係る線路の帯電手段とし，分岐ブレーカ(３)負荷側(４)線路の端末接地極付コンセント(１９)には，操作を目的とした，プラグ接続測定対象体(２１)に係る負荷機器(２７)の電源側スイッチ(Ｓ８)は手動オフに伴う並列接続状態(トラッキング状態Ｒ２)は，並列接続状態においての修復依頼とし，点灯は確認使用になる手段であって，点灯確認後においては，電源側リモコン開閉器(Ｓ４)はオフとゼロクロス開閉器(Ｓ５)はオフと，中性Ｎ側中性極スイッチ(Ｓ６)はオフとする。
【００４４】
Ｄ．以降の操作は，電力量計側器(１１)の電源側スイッチ(Ｓ３)をオンとし，分岐ブレーカ(３)負荷側(４)線路の端末接地極付コンセント(１９)には，操作を目的としたプラグ接続測定対象体(２１)に係る負荷機器(２７)の電源側スイッチ(Ｓ８)は，手動オンに伴う確認とし，電源側リモコン開閉器(Ｓ４)をオンとゼロクロス開閉器(Ｓ５)はオフと，中性Ｎ側中性極スイッチ(Ｓ６)はオフとし，ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知手段であって，ドリフト電流ｅ７は，電源側線(４Ｌ)に係る線路の帯電手段とし，分岐ブレーカ(３)負荷側(４)線路の端末接地極付コンセント(１９)には，操作を目的とした，プラグ接続測定対象体(２１)に係る負荷機器(２７)の電源側スイッチ(Ｓ８)は手動オンに伴う機器内負荷側線路(Ｌ側)及び線路(Ｎ側)と電気用品の外装(２６)間における漏れ接続(Ｒ３)及び漏れ接続(Ｒ４)は，直列接続状態においての修復依頼と，点灯は確認使用になる手段であって，点灯確認後においては，電源側リモコン開閉器(Ｓ４)はオフとゼロクロス開閉器(Ｓ５)はオフと，中性Ｎ側中性極スイッチ(Ｓ６)はオフとする。
【００４５】
冠水通報に伴う需要家の負荷機器を接続した分岐回路に分配供給するための電力分電盤において，リミッター電流制限器３０Ａ以内における待機電流に係る省エネスイッチ手段は，主開閉器(２)に係る再投入オン手段に伴う，開放された各操作スイッチ(Ｓ１)〜(Ｓ６)に係る開放確認手段と，冠水通報に伴うリミッター電流制限器３０Ａ以内での，手動投入操作における確認使用であって，以降の操作は，電力量計側器(１１)の電源側スイッチ(Ｓ３)のオンに伴う待機電流に係る開放確認手段とし，電源側リモコン開閉器(Ｓ４)のオンに伴うゼロクロス開閉器(Ｓ５)はオフと，中性Ｎ側中性極スイッチ(Ｓ６)をオンとし，ゼロクロス開閉器(Ｓ５)に係る並列接続ネオンランプｅ５は，交流１００ｖでは７０ｖで陰極グローと負極が発光により電圧３５ｖのドリフト電流ｅ７でＬＥＤｅ６が点灯の検知手段であって，ドリフト電流ｅ７は，電源側に係る線路の帯電手段とし，分岐ブレーカ(３)負荷側(４)線路の端末接地極付コンセント(１９)には，操作を目的とした，プラグ接続測定対象体(２１)の負荷機器(２７)に係る電源側スイッチ(Ｓ８)であって，手動オフに伴う並列接続状態での点灯は，トラッキング状態(Ｒ２)又は不点灯を確認手段とし，中性Ｎ側中性極スイッチ(Ｓ６)をオフとし，手動オンに伴う直列接続状態での点灯は，漏れ接続(Ｒ３)及び漏れ接続(Ｒ４)又は不点灯を確認手段と，中性Ｎ側中性極スイッチ(Ｓ６)をオンと，手動オンに伴う負荷機器(２７)並列接続状態に係る点灯又は不点灯を断線確認手段とし，手動オンに伴う負荷機器(２７)並列接続状態に係る点灯手段は，ゼロクロス開閉器(Ｓ５)の自動オンに伴う負荷機器(２７)における消費使用の電力量とし，電力量計側器(１１)と計側収集保存送信機器(１０)において，分岐ブレーカ(３)負荷側(４)に係る消費使用の電力量とし，共に継続して計測値を収集と保存する手段を備えた送信配信総合システムと待機電流に係る省エネスイッチ方法。
【００４６】
冠水に伴う１時間雨量が６２ミリの観測通報における需要家の負荷機器を接続した分岐回路に分配供給するための電力分電盤において，冠水通報に伴うリミッター電流制限器(１)の定格契約Ａに接続された，一次送りブレーカ(７)負荷側(８)の検知操作手段(１ａ)は，観測通報に伴い，手動操作でリミッター電流制限器(１)に接続された主開閉器(２)のＤＣ開放手段と，リミッター電流制限器(１)の定格契約Ａをリミッター電流制限器３０Ａに切り替わり手段とし，リミッター電流制限器３０Ａに接続された主開閉器(２)の開放に伴う，一次送りブレーカ(７)負荷側(８)の検知操作手段(２ａ)は，接地極Ｅ３‐１に係るスイッチ(Ｓ１)をＤＣでオンに伴う分岐ブレーカ(３)負荷側(４)のＬ側幹線(Ｌ４)に係る，帯電を放電する手段とし，放電に伴う一次送りブレーカ(７)負荷側(８)の検知操作手段(３ａ)は，主開閉器(２)に係る開放手段と放電手段において，接地極Ｅ３‐１に係るスイッチ(Ｓ１)をＤＣでオフに伴う放電の開放手段とし，需要家の負荷機器を接続した分岐回路に分配供給するための電力分電盤においては，放電の開放手段に伴う，一次送りブレーカ(７)負荷側(８)に係る電力量計側器(９)であって，一次送りブレーカ(７)負荷側(８)に係る，検知操作手段及び常時供給機器に係る消費使用の電力量は，冠水通報に伴うリミッター電流制限器３０Ａ以内とし，電力量計側器(９)と計側収集保存送信機器(１０)において，負荷側(８)に係る消費使用の電力量とし，継続して計測値を収集と保存する手段を備えた送信配信総合システム。
【００４７】
冠水に伴う１時間雨量が６２ミリの観測通報における需要家の負荷機器を接続した分岐回路に分配供給するための電力分電盤において，リミッター電流制限器３０Ａに接続された主開閉器(２)に係る開放手段に伴う，放電の開放手段とし，放電の開放手段に伴う一次送りブレーカ(７)負荷側(８)の検知操作手段(１ｂ)は，分岐ブレーカ(３)負荷側(４)の中性Ｎ側幹線(４Ｎ)に係る，線路の帯電に伴う電流検知(５１)とし，分岐ブレーカ(３)負荷側(４)の線路間には，電源側スイッチ(Ｓ３)と電力量計側器(１１)と，分岐ブレーカ(３)負荷側(４)の線路(４Ｌ)と(４Ｎ)の間には，操作を目的とした，クリップ測定対象体(２０)と，各操作スイッチ(Ｓ１)〜(Ｓ６)に係る開放手段とし，以降の操作は，並列接続状態(２０)及び漏れ接続状態直列(２１)に係る帯電手段に伴う電流検知(５１)と，帯電検知に伴う分岐回路遮断とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，リミッター電流制限器３０Ａに接続された主開閉器(２)は，再投入オン手段とし，一次送りブレーカ(７)負荷側(８)に係る，検知操作手段及び常時供給機器に係る消費使用の電力量は，冠水通報に伴うリミッター電流制限器３０Ａ以内とし，電力量計側器(９)と計側収集保存送信機器(１０)において，負荷側(８)に係る消費使用の電力量とし，共に継続して計測値を収集と保存する手段を備えた送信配信総合システム。
【００４８】
１．消費使用の電力量として，共に継続して計測値を収集と保存する手段を備えた送信配信総合システムは，消費使用の電力量を，冠水に伴う１時間雨量が６２ミリの観測通報における，需要家の負荷機器を接続した分岐回路に分配供給するための電力分電盤において，在宅消費使用の電力量情報手段とし，
２．需要家による以降の操作は，消費者保護情報と，インターネットとＬＡＮ接続パソコンを用いて，冠水通報に伴う需要家において，在宅消費使用の電力量情報手段と，電気設備のバリヤフリー対策とし，
３．在宅冠水通報に伴う需要家においては，在宅消費使用の電力量情報をもとに，救援者が駆け付ける手段と，インターネットとＬＡＮ接続パソコンを用いて，冠水通報に伴う需要家において、在宅消費使用の電力量情報が得られる手段になる効果がある。
４．なお，冠水通報に伴う需要家において，電気設備のバリヤフリー対策には，測定対象体の漏れ状態直列(２１)及び測定対象体のトラッキング状態並列(２０)と，測定装置等を用いて定期的に測定する手段になる効果がある。
【符号の説明】
【００４９】
リミッター電流制限器(１)の定格契約Ａをリミッター電流制限器３０Ａに
１.リミッター電流制限器３０Ａ，２．主開閉器(２)，
３.分岐ブレーカ(３)，４Ｌ.負荷側４Ｌ，４Ｎ.負荷側４Ｎ，
７.一次送りブレーカ(７)，負荷側(８)，８Ｌ.８Ｎ，
９.電力量計側器(９)，１０.計側収集保存送信機器(１０)，
１１.電力量計側器(１１)，
１９.端末接地極付コンセント(１９)，２０.クリップ測定対象体(２０)，
２１.プラグ接続測定対象体(２１)，
２６.電気用品の外装(２６)，負荷機器(２７)，
５１.線路の帯電に伴う電流検知(５１)，５２.遮断と遮断回路(５２)，
Ｐ１.電源側(Ｐ１)，Ｐ２.中性側(Ｐ２)，Ｌ４.電源Ｌ側(４Ｌ)，
Ｎ４.中性Ｎ側(Ｎ４)，４Ｌ.電源(４Ｌ)，４Ｎ.中性(４Ｎ)，
Ｒ２.トラッキング状態(Ｒ２)，Ｒ３.漏れ接続(Ｒ３)，Ｒ４.漏れ接続(Ｒ４)，
ｅ１.ネオンランプ(ｅ１)，ｅ２.ＬＥＤ(ｅ２)，ｅ３.フォトカプラー(ｅ３)，
ｅ４.ドリフト電流(ｅ４)，
ｅ５.並列接続ネオンランプ(ｅ５)，ｅ６.ＬＥＤ(ｅ６)，
ｅ７.ドリフト電流(ｅ７)，
Ｘ.電源側(Ｐ１)，Ｘ.中性側(Ｐ２)，Ｙ.電源側(Ｐ１)，Ｙ.中性側(Ｐ２)，
Ｓ１.接地極Ｅ３−１に係るスイッチ(Ｓ１)，(Ｓ２).
負荷側(８)に係るスイッチ(Ｓ２)，Ｓ３.電源側スイッチ(Ｓ３)，
Ｓ４.電源側リモコン開閉器(Ｓ４)，Ｓ５.ゼロクロス開閉器(Ｓ５)，
Ｓ６.中性Ｎ側中性極スイッチ(Ｓ６)，Ｓ７.接地極Ｅ３−１に係るスイッチ(Ｓ７)，
Ｓ８.負荷機器(２７)の電源側スイッチ(Ｓ８)，
一次送りブレーカ(７)負荷側(８)の検知操作手段は：(１ａ)，(２ａ)，(３ａ)，(４ａ)，
一次送りブレーカ(７)負荷側(８)の検知操作手段は：(１ｂ)，(２ｂ)，(３ｂ)，(４ｂ)，
(５ｂ)，(６ｂ)，(７ｂ)，
【要約】      （修正有）【課題】冠水に伴う需要家に対して保護を図る。【解決手段】冠水通報に伴うリミッター電流制限器（３０Ａ以内）における待機電流に係る省エネスイッチ手段を具備する構成は，主開閉器２に係る再投入オン手段に伴う，開放された各操作スイッチＳ１〜Ｓ６に係る開放確認手段と，冠水通報に伴うリミッター電流制限器（３０Ａ以内）での，手動投入操作における確認使用であって，以降の操作は，電力量計側器１１の電源側スイッチＳ３のオンに伴う待機電流に係る開放確認手段とし，手動オンに伴う負荷機器２７並列接続状態に係る点灯は，ゼロクロス開閉器Ｓ５のオンに伴う負荷機器２７における消費使用の電力量とし，電力量計側器１１と計側収集保存送信機器１０において，分岐ブレーカ３負荷側４に係る消費使用の電力量とし，共に継続して計測値を収集と保存する手段を備えた送信配信総合システムと待機電流に係る省エネスイッチ方法。【選択図】図１【図１】
0005770902.tif 000002
【図２】
0005770902.tif 000003